(57)【要約】【課題】  ゴルフクラブのスイングにおいて、望ましくない握力の発生を抑え、ゴルファーが正しいグリップを実現できるようにする。【解決手段】  グローブ表面の親指根元付近に伸縮性のあるストラップを２本設け、それぞれのストラップの先端部には面ファスナーを配する。また、ゴローブの親指を除く四指の背面上にも面ファスナーを設け、親指根元付近に設けられたストラップを固定できるようになっている。ゴルファーは、ゴルフクラブを握ってスイングする前に、親指を除く四指上の面ファスナーへと親指根元付近のストラップの先端部を固定することで、親指根元がストラップによって圧迫され、また他の四指は親指方向へと引っ張られることによって、ゴルフクラブが握られる際の握力の角度と大きさとが調節される。それによって、ゴルファーは正しいグリップを確実に身につけることができ、その結果、プレイのスコア向上を容易にする。【選択図】図１
2012105937.tif 000002
【特許請求の範囲】
【請求項１】
掌部と甲部を有する手袋本体を有し、掌部と甲部との間には手の収容空間、また五指のための複数の穴を形成するための袋状の延長部分を有し、親指付根付近の掌部と甲部との境界線上には、その先端部に面ファスナーを有する牽引ストラップが固定され、さらに甲部の別の部分にも面ファスナーを有し、人指指、中指、薬指、小指の四本指のための収容空間外側の各背面に面ファスナーを有し、牽引ストラップ先端部の面ファスナーと甲上の面ファスナーとを結着させることにより牽引ストラップ先端部の固定が可能で、また牽引ストラップを掌側に転向させることにより、ゴルフ用のクラブを握った人差指、中指、薬指、小指の四本指の背面に設けられた面ファスナーのうちの１つもしくは複数に結着させることで、人差指・中指・薬指・小指を掌方向に牽引しつつ固定し、かつ親指の根元部分を掌方向へと圧迫することが可能であることを特徴とするゴルフ用グローブ。
【発明の詳細な説明】
【技術分野】
【０００１】  本発明は、ゴルフで打球を行う際に、クラブを保持するために用いられる人差指・中指・薬指・小指さらに親指の位置を競技上望ましい位置と角度に矯正する機能を備え、プレイヤーの技能向上にとって有用なゴルフ用手袋に関するものである。【０００２】  ゴルフという競技は、プレイヤーがゴルフクラブを両手で保持して振ることにより、ゴルフ用ボールをコース内のある地点を目標として打球することで行われる。その競技の性格上、プレイヤーは打球するボールを、目標とする飛距離が長い場合であっても短い場合であっても、より正確な方向に飛ばすことがゲームスコアの向上のためには必須である。そして打球の正確さは、ゴルフクラブが振られる軌道がプレイヤーの意図にした軌道に一致することによってもたらされる。ゴルフでは、コース内の天候、風、地面のコンディション、使用されるクラブ、ボールの種類なども打球の結果に影響を与えるが、ゴルフボールの軌道に最も影響を与えるものはゴルフクラブの軌道に他ならない。ゴルフクラブの軌道を安定させることが、打球の正確さを実現するための最大の要因であることは当然である。【０００３】  ゴルフクラブの軌道の正確さを実現するためには、ゴルフクラブをスイングする全身の筋肉と関節部の動作の正確さがまず求められるが、ゴルフクラブを握る際の指と掌によって形成されるフォームの正確さも重要である。ここでは、プレイヤーがゴルフクラブを指と掌部とで握る動作と、それによって形成される指と掌のフォームのことを、以後グリップと呼ぶこととする。グリップは、プレイヤーが全身の筋力を発揮して各関節部の連動によって生み出された運動エネルギーがゴルフクラブへと伝達される境界に位置するため、グリップ以外のスイングが理想的に行われたとしてもグリップが適切でない場合には、ゴルフクラブの軌道の正確さは実現しない。【０００４】  グリップにはいくつかの種類が存在する。グリップの種類によってクラブに接しない指はあるものの、左右５本の指すべてがスイングに関与すると言ってよい。また指だけではなく、掌部も重要である。掌をクラブに接することなしに、指だけでゴルフのスイングを行うことはまず不可能である。グリップは、まず両手の親指の根元にあたる掌部とクラブのグリップとを密着させ、クラブのグリップと掌とが密着しつづけるように親指を含めた全ての指をクラブのグリップに巻きつけるようにして行う。グリップが完成すると、人差指・中指・薬指・小指のそれぞれの中位指節間関節部分は、シャフトを挟んで掌の根元の部分とほとんど対極の位置にあり、グリップの種類によって例外はあるものの、人差指・中指・薬指・小指は近位指節間関節から大きく折り曲げられてクラブに巻きついており、その指先は親指根元の肉の厚い部分にほとんど達している。クラブの把持部と掌とが密着しつづけなければならない理由は、ここに緩みが生じると、クラブを把持する力が弱まってクラブの把持部が動いてしまい、クラブの軌道が不安定になるためである。すなわちゴルフのグリップにおいて、手の左右５本の指と、各指の近位指節間関節を含んだ掌部とは、すべてゴルフのスイングにおいては欠かせないものであり、一体的に運用される必要がある。【０００５】  ��ルフのスイングにおいては、クラブの軌道を安定させようとしてグリップを強固にしすぎると、弊害が生じてしまうことに注意しなければいけない。指の筋肉を強く緊張させること自体が、グリップの形を変えてしまう直接の原因になりうるし、また人間の生理的なメカニズムにおいても、強い握力を発揮することで反射的に、前腕、上腕、肩の筋肉に緊張が生じ、各関節の柔軟性の発揮が妨げられて稼動範囲が狭くなり、体のバランスが崩れることで正しいスイングが困難になることがある。ゴルフクラブの重量は一般的に２７０〜４００グラム程度であり、人間の体重と比べて大変に軽い。また、ボールと接触するクラブヘッドはクラブの先端部にあることも関係して、ゴルファーのわずかなフォームの崩れが、打球の行方に大きな影響を与えてしまうのである。特に初心者の場合は、スイング時にクラブが手からすっぽ抜けてしまうのではないかという恐怖心から、必要以上にクラブを握りしめてしまい、グリップを歪めてしまう傾向がある。また飛距離への志向が強いプレイヤーの場合にも、より強くスイングしようとして、握力を必要以上に強めてしまい、グリップが歪んでしまうことがある。スイングのスピードが速いと、クラブを保持するために必要な力も大きくなるため、通常よりも必要とされる握力の力は大きくなるのだが、やはりこの場合でも必要以上の握力の発揮は、手首や肘、肩の柔軟性を損ない、関節の稼動範囲が狭くなることによって、結果としてスイングのスピードと飛距離を衰えさせてしまい、打球の正確さにも悪影響を与える。
【先行技術文献】
【特許文献】
【０００６】
【特許文献１】特開平６−７９０２９号公報
【特許文献２】特開平７−２５５８９３公報
【特許文献３】特開平７−２５５８９４公報
【特許文献４】特開平１１−１９２３３４公報
【発明の概要】
【発明が解決しようとする課題】
【０００７】  ゴルファーが正しいグリップを維持することを目的として、グリップにストラップを巻きつける機能をもたせたゴルフ用手袋は、すでに数例がある。これらの先行例には構造上の多くの問題点がある。まずストラップの数である。上記の４発明においては、すべてストラップが一本のみであり、その一本のストラップのみによってグリップ力を向上させる仕組みになっている。しかしながら、一本のストラップのみで第一指から第四指までの握力を補助することは困難である。先行例の平成１１−１９２３３４のように、幅の広いバンドで四指を広く覆う構造でも、一本のバンドでは各指に掛かる力に偏りが生じてしまい、グリップの正確さに悪影響を与えかねない。【０００８】  先行例の最大の問題点は、正しいグリップの補助を目的として作成されたストラップが、握力を補助することでクラブの固定力を高めることを目的としている点である。クラブをグリップする指の上にストラップを巻きつけることで指を圧迫すれば、ストラップによって圧迫された力だけ、プレイヤーは自ら発揮しなければならない握力は小さくすることができる。しかし、ストラップが指を上部からグリップの芯の方向へと単純に圧迫してしまうと、グリップする指が必要以上に折れ曲がったり、もしくは逆に屈曲上体から伸ばされてしまう不自然なグリップとなり、正しいグリップが身につけることができない。これは、先行例においては、ストラップを留める先のファスナーが、各指の近位指節間関節に限定されているためである。近位指節間関節付近にストラップの先端部が留められて、ストラップの伸縮性の働きによって指が圧迫されると、ストラップの先端部である近位指節間関節には、直線的にグローブの外側が引っ張られるのみで近位指節間関節自体には作用せず、指をシャフトの表面へと押し付けようとする力が中位指節間関節付近の部分にもっとも強く働く。本来クラブのグリップ時は、中手指節関節は十分に折り曲げられた状態でクラブの把持部に密着していなければならないが、中位指節間関節の上方から圧迫する力が加わってしまうと、中手指節関節は不自然に伸展してしまい、クラブの把持部への密着率が損なわれ、グリップのフォームを歪めてしまう可能性がある。
【課題を解決するための手段】
【０００９】  本発明では、指の近位指節間関節付近ではなく、近位指節間関節付近から中手指節関節までと、中手指節関節から遠位指節間関節の手前までをストラップ自由端の固定先とすることで、不自然に近位指節間関節と遠位指節間関節とを伸展させてしまうことなくクラブの把持部への指の密着率を維持し、中位指節関節と遠位指節間関節の自由度を保証している。また、ストラップは２本備えており、先端部のファスナー部は長く設けてあるため、牽引を行う指と、その伸縮の強弱と角度が調整可能である。それにより、牽引が行われる指とその部位を指定することが可能となり、単なるグリップ力の強化ではなく、グリップの技能的な矯正機能を有する。
【図面の簡単な説明】
【００１０】
【図１】本発明の実施例に係るゴルフ用手袋の手の甲側の平面図
【図２】着脱用ベルトを裏返した図
【図３】本発明の実施例に係るゴルフ用手袋の掌側の平面図
【図４】牽引ストラップを手の甲側に固定した時の図
【図５】牽引ストラップを四指に装着した時の手の甲側からの図
【図６】牽引ストラップを四指に装着した時の掌側からの図
【発明を実施するための形態】
【００１１】  本発明の原理では、牽引ストラップ１と牽引ストラップ２が親指付根付近の掌部と甲部の境界線上に取り付けられている。これら牽引ストラップ１と牽引ストラップ２の根元側にあたる部分は、ゴムひもなどの伸縮性を有する素材である。牽引ストラップ１の自由端の一面には、面ファスナー３が、もう一面にはファスナー１８が接着されている。牽引ストラップ２の自由端の一面には、面ファスナー４が、もう一面にはファスナー１９が接着されている。また、グローブの人差指部分の背面には、近位指節間関節と中手指節関節の間の位置に面ファスナー８、中手指節関節と遠手指節関節の間の位置に面ファスナー９が接着されている。グローブの中指部分の背面には、近位指節間関節と中手指節関節の間の位置に面ファスナー１０、中手指節関節と遠手指節関節の間の位置に面ファスナー１１が接着されている。グローブの薬指部分の背面には、近位指節間関節と中手指節関節の間の位置に面ファスナー１２、中手指節関節と遠手指節関節の間の位置に面ファスナー１３が接着されている。グローブの小指部分の背面には、近位指節間関節と中手指節関節の間の位置に面ファスナー１４、中手指節関節と遠手指節関節の間の位置に面ファスナー１５が接着されている。ゴルファーは手袋をはめて、着脱用ベルト６を用いて手袋が手にフィットするように調節する。次にゴルファーは、左手のみでゴルフクラブのグリップを行う。そして、ゴルファー自身の右手もしくは補助者によって、牽引ストラップ１と牽引ストラップ２を片方ずつ掌側に引っ張りながら、牽引ストラップ１上の面ファスナー１８と牽引ストラップ２上の面ファスナー１９を、面ファスナー８、９、１０、１１、１２、１３、１４、１５のうちの１つもしくは複数の面ファスナーに結着させる。四指上の複数のファスナーを横断して、複数の指を牽引するように留めてもよいし、単数の指に留めてもよい。個人のグリップの状況や練習目的によって使い分ける。
【００１２】  牽引ストラップは、グリップの固定のために使用しない場合は、甲側の面ファスナー７に、牽引ストラップ１の自由端の一面にある面ファスナー３および牽引ストラップ２の自由端の一面にある面ファスナー４を留めることで、本発明によるグローブを着用したままで、牽引ストラップがグリップに影響を与えることなくスイングを行うことも可能である。本発明は、添付の図面と共に、下記の詳細説明を読むことによって、その本義が理解されよう。なお各図では、同一の構成要素には同じ参照符号を付けてある。
【００１３】  上記の面ファスナーの素材として望ましい方法は、ヴェルクロ（Ｖｅｌｃｒｏ）もしくはマジックテープとして知られているフック／ループ型のナイロン製ファスナーを用いる方法である。このヴェルクロによる面ファスナーは、微細なナイロン素材のフックからなるフック面と、そのフック面と接着させるための微細なループを有するループ面とからなり、これら２つの面が接触すると、フック面上の無数のフックと、ループ面上の無数のループとがお互いに絡まりあって面は密着し、一定以上の力によって引き剥がされない限り密着しつづける。この発明においては、あるファスナーについてフック面を使用するかループ面を使用するかは自由に選択することができるが、すくなくとも、ファスナー３および４に対する甲部上のファスナー７の組み合わせと、同じく牽引ストラップ上のファスナー１８および１９に対する四指外側のファスナー８、９、１０、１１、１２、１３、１４、１５の組み合わせについては、設計上接着を可能とさせる必要があるため、フック面とループ面が対応するように配置すること。
【産業上の利用可能性】
【００１４】  本発明の大きな利点は、従来の標準的な手袋に、追加して牽引ストラップや面ファスナー等の部品を付け加えるという手段のみによって、本発明の利点を実現した製品を生産できることである。また、手袋本体の基本的な構造は変更する必要はなく、従来の生地を使うことができる上、追加される牽引ストラップや面ファスナーも一般的なスポーツ用品の素材で作成可能であるため、製造は極めて容易である。【００１５】  以上、本発明の実施例と方法とを示したが、本発明の精神および範囲を逸脱することなしに、これらの実施例と方法とを変更・修正できることは、関係業者においては明らかであると推察される。したがって、本発明は請求の範囲と特許法の規定および原則のみで限定されるものである。
【符号の説明】
【００１６】１    第１の牽引ストラップ
２    第２の牽引ストラップ
３    面ファスナー
４    面ファスナー
５    面ファスナー
６    着脱用ベルト
７    面ファスナー
８    面ファスナー
９    面ファスナー
１０  面ファスナー
１１  面ファスナー
１２  面ファスナー
１３  面ファスナー
１４  面ファスナー
１５  面ファスナー
１６  開閉用スリット
１７  面ファスナー
１８  面ファスナー
１９  面ファスナー
【図１】
2012105937.tif 000003
【図２】
2012105937.tif 000004
【図３】
2012105937.tif 000005
【図４】
2012105937.tif 000006
【図５】
2012105937.tif 000007
【図６】
2012105937.tif 000008